(57)【要約】【課題】イヤーバンドの長さ調節を容易にするだけでなく、調節された長さが安定的に維持されるようにして、マスクがユーザーの顔面にぴったり密着するようにすることにより、外気中の微細粉塵や黄砂などの有害物質がユーザーの鼻や口に直接吸入されることを容易に防止することができる長さ調節部付きマスクを提供する。【解決手段】本発明は、ユーザーの口、鼻及び顎の付近に対応するように形成されるマスクと、ユーザーの耳に掛けることができるようにマスクの両側に備えられ、一側がマスクの表面の上部に結合され、他側がマスクの表面の下部に結合されて備えられるイヤーバンドと、マスクの表面の下部両側にそれぞれ備えられ、通過ホールが水平方向に形成される調節部と、を含んでなる。【選択図】図１
2020193426.tif 000002
【特許請求の範囲】
【請求項１】
ユーザーの口、鼻及び顎の付近に対応するように形成されるマスクと、
ユーザーの耳に掛けることができるように前記マスクの両側に備えられ、一側が前記マスクの表面の上部に結合され、他側が前記マスクの表面の下部に結合されて備えられるイヤーバンドと、
前記マスクの表面の下部両側にそれぞれ備えられ、通過ホールが水平方向に形成される調節部と、を含んでなり、
前記イヤーバンドは、
他側が前記調節部の通過ホールを通過するが、前記マスクの中心からマスクの外側に前記通過ホールを通過した後、前記マスクの表面の下部に結合されてマスクの外側に形成される引き部とを含んで構成されることを特徴とする、長さ調節部付き機能性マスク。
【請求項２】
前記イヤーバンドは、前記調節部によって前記マスクの外側方向に１８０度折れることにより調節された引き部の長さ可変が防止されることを特徴とする、請求項１に記載の長さ調節部付き機能性マスク。
【請求項３】
前記イヤーバンドの他側は、熱圧着されて形成された複数の係止段を含むことを特徴とする、請求項１に記載の長さ調節部付き機能性マスク。
【請求項４】
前記イヤーバンドの他側は、前記イヤーバンドの一側よりも表面粗さが大きいことを特徴とする、請求項１または３に記載の長さ調節部付き機能性マスク。
【請求項５】
前記調節部は、
外表面に所定の距離離隔して形成され、第１通過ホールが水平方向に形成され、前記第１通過ホールの下部に位置するように第２通過ホールが形成される補助調節部を含んで構成されることを特徴とする、請求項１に記載の長さ調節部付き機能性マスク。
【請求項６】
前記調節部は、外表面に形成された複数の第１突起を含んで構成されることを特徴とする、請求項１に記載の長さ調節部付き機能性マスク。
【請求項７】
前記調節部は、内表面に形成された複数の第２突起を含んで構成されることを特徴とする、請求項１または６に記載の長さ調節部付き機能性マスク。
【請求項８】
前記マスクは、
ユーザーの口及び鼻の下部を覆う前面と、
前記前面の上部に連結され、ユーザーの鼻の上部を覆い、形状が可変して鼻の上部に密着する可変形状部を備える上面と、
前記前面の下部に連結され、ユーザーの顎を覆う下面とを含んで構成されることを特徴とする、請求項１に記載の長さ調節部付き機能性マスク。
【請求項９】
前記可変形状部は、
軟質の金属材質からなる支持部材と、
前記支持部材を包み込むように形成される被覆部材と、
前記被覆部材を包み込むように形成される形状保持部とを含んで構成されることを特徴とする、請求項８に記載の長さ調節部付き機能性マスク。
【請求項１０】
前記可変形状部は、
表面にコーティングされるポリマーコーティング層をさらに含んで構成されることを特徴とする、請求項８または９に記載の長さ調節部付き機能性マスク。
【発明の詳細な説明】
【技術分野】
【０００１】
本発明は、長さ調節部付き機能性マスクに係り、より詳細には、マスクの両側に備えられ、ユーザーの耳に掛けられるイヤーバンドと、前記マスクの表面の下部両側に備えられる調節部とによって形成される通過ホールに前記イヤーバンドの他側を通過させることにより形成される引き部を用いて、前記イヤーバンドの長さ調節が容易となるようにするだけでなく、調節された長さが安定的に維持されるようにして、前記マスクがユーザーの顔面部にぴったり密着するようにすることにより、外気中の微細粉塵や黄砂などの有害物質がユーザーの鼻や口に直接吸入されることを容易に防止することができる長さ調節部付きマスクに関する技術分野である。
【背景技術】
【０００２】
一般に、マスクとは、冬季に外の冷気がユーザーの呼吸器に直接触れないように１次的に防ぐ役割を果たし、繊維裁断、木材裁断、紙裁断、生コン工場、セメント工場、練炭工場、炭鉱、大規模な建物工事現場、土木工事現場、化学工場、溶接工場、金属加工工場などから発生する粉塵や微細な汚染物質が多いところでの作業時に粉塵や有毒ガスなどの微細な汚染物質がユーザーの呼吸器に直接流入して肺や気管支などの人体呼吸器疾患が誘発されることを防止するために使用されたり、風邪やインフルエンザなどの伝染性の強いウイルスが呼吸器を介して伝染されることを防止するために使用されたりする。
【０００３】
つまり、マスクは、外の冷気や、呼吸器を介して伝染する伝染性ウイルス、工事現場作業時に発生した粉塵及び微細な汚染物質を直接吸入せずに、フィルタを経て汚染物質が濾過された空気を吸入するものであって、最近では、頻繁な微細粉塵の発生や黄砂の発生により、平素の外部活動を行う場合にも着用しなければならない場合が増えている。
【０００４】
付加説明すると、従来のマスクは、ユーザーの鼻と口の周辺を覆う本体部と、耳に掛けて着用することができる掛止部と、鼻部分に外気の汚染物質が流入することを防止することができる鼻部とから構成される。微細粉塵や黄砂などの汚染物質を遮断するためのマスクの本体部は、微細粉塵や黄砂などの微細な汚染物質を遮断することができるフィルタを含むことができ、掛止部は、弾性糸を適用することが一般的であり、ユーザーに利便性を提供するために長さ調節部を含むことができ、鼻部は、一般的に合成樹脂で被覆された鉄心、アルミニウムまたはワイヤーを追加する構成が含まれている多くの製品が開発されているが、長さ調節部で顔面に密着するように長さを調節したマスクをユーザーが着用するときに調節した長さがうまく固定されず、ユーザーの顔面との密着感に劣って呼吸器に汚染物質が直接流入することを防止することが難しいという問題点があった。
【０００５】
上述した従来技術のマスクの一例として、特許文献１は、掛止バンドを耳に掛けることが難しく、紐が切れやすく、紐調節が難しいため、顔面密着性に劣って外部の異物が吸入され易いので密閉機能に劣る一般マスクや微細粉塵及び黄砂専用マスクなどとは異なり、濾過効率の良い顔面カバー材質と調和する簡単な構成及び締結部位を露出させることなく強固に締結するようにする簡単な掛止バンド結合構造であって、顔面部の形状及びサイズに応じて掛止バンド紐の長さを容易に調節して、マスクと顔の皮膚との間に隙間が発生しないように緊密に密着させることができ、調節された紐は掛止バンド長さ調節具から容易に離脱しないようにした、掛止バンド長さ調節具付き呼吸器用保健マスクを提示している。
【０００６】
しかし、このような従来技術の特許文献１は、ユーザーがマスクを長時間着用したり、ユーザーが他人と会話をしたりするなどによる顔面の動きが張力の解除をもたらす場合または掛止バンドを調節する場合にマスクの上下バンド部分が同時に縮まるから、引っ張りまたは引き締めを繰り返さなければならないことにより掛止バンドの調節が容易でなく面倒が発生し、調節した掛止バンドがマスク側面の中央部分から外部に出てくるので、髪を触ったり電話通話をしたりする過程で指が掛止バンドに掛けられてバンドの長さが変更されるため、掛止バンドの長さを再び引っ張ったり引き締めたりして調節しなければならない微々たる不便さがある。
【０００７】
かかる問題点を解決するためのマスクの従来技術の一例として、特許文献２は、粉塵や有害物質の吸入を防止するための使い捨て防塵マスクに関するもので、使い捨て防塵マスクの上下部にそれぞれ着用者の鼻部分及び顎部分と一致する隆出部を形成し、両側閉止部には掛止バンドが内蔵された状態で熱溶着するが、ろ過紙の各折畳み部と閉止部の端部にはそれぞれ段差を形成し、これによりろ過紙の裁断を容易にしながらも、超音波溶着が容易で、鼻部分及び顎部分に該当する隆出部によってマスクの折れ部または強制圧迫によらなくても、より密着した状態での着用が行われるため、防塵効果が非常に優れており、特に掛止バンドの長さを部分的に微調節することができるので、より着用感が向上し、蛇腹部と隆出部によってユーザーの顔面との密着力を向上させることにより、スポーツや活動的な動作時にも全く支障を受けない使い捨て防塵マスクを提示している。
【０００８】
しかし、上述した従来技術の特許文献２は、マスクの両側閉止部全体にそれぞれ段差を作らなければならず、マスクの両側閉止部がサンドイッチ状に重なって形成されるので製造コストがアップし、閉止部が屈曲形状に形成されないため、顔の小さいか頬肉の少ないユーザーがマスクを着用したときに顔面との密着感に劣るという微々たる問題点がある。
【先行技術文献】
【特許文献】
【０００９】
【特許文献１】韓国登録実用新案第２０−０４８５３６３号公報
【特許文献２】韓国公開特許第１０−２００４−００２７２６８号公報
【発明の概要】
【発明が解決しようとする課題】
【００１０】
本発明は、かかる従来技術による問題点を解決するためになされた技術である。従来のイヤーバンドの長さ調節が可能なマスクは、前記イヤーバンドの長さ調節後にユーザーの顔面部に密着して着用されても、長時間マスクを着用したり、マスクを着用した状態で会話や電話通話などを行ったりした場合、前記イヤーバンドの調節された長さが長くなってマスクが顔面部から密着した状態が緩んでしまい、これによりマスクによる有害物質のフィルタリングが円滑に行われないという問題が生じる。この問題を解決するために、本発明は、イヤーバンドの他側が水平方向に通過するようにする調節部を用いて前記イヤーバンドの長さを容易に調節し、長さ調節されたイヤーバンドが前記調節部によって１８０度折れるようにすることにより、安定的にイヤーバンドの調節された長さが維持されるようにし、結果的にマスクがユーザーの顔面部にぴったり密着するようにすることにより、有害物質のフィルタリングが安定且つ持続的に維持されるようにする、長さ調節部付き機能性マスクを提供することを目的とする。
【課題を解決するための手段】
【００１１】
上記目的を達成するために、本発明は、ユーザーの口、鼻及び顎の付近に対応するように形成されるマスクと、ユーザーの耳に掛けることができるように前記マスクの両側に備えられ、一側が前記マスクの表面の上部に結合され、他側が前記マスクの表面の下部に結合されて備えられるイヤーバンドと、前記マスクの表面の下部両側にそれぞれ備えられ、通過ホールが水平方向に形成される調節部とを含んでなり、前記イヤーバンドは、他側が前記調節部の通過ホールを通過するが、前記マスクの中心からマスクの外側に前記通過ホールを通過した後、前記マスクの表面の下部に結合されてマスクの外側に形成される引き部とを含んで構成されることを特徴とする、長さ調節部付き機能性マスクを提示する。
【００１２】
また、本発明の前記イヤーバンドは、前記調節部によって前記マスクの外側方向に１８０度折れることにより調節された引き部の長さ可変が防止されることを特徴とし、前記イヤーバンドの他側は、熱圧着されて形成された複数の係止段を含んで構成されることを特徴とする。
【００１３】
また、本発明の前記イヤーバンドの他側は、他の実施例として、前記イヤーバンドの一側と前記引き部の他側よりも表面粗さが大きいことを特徴とする。
【００１４】
また、本発明の前記調節部は、外表面に所定の距離離隔して形成され、第１通過ホールが水平方向に形成され、前記第１通過ホールの下部に位置するように第２通過ホールが形成される補助調節部を含んで形成されることを特徴とする。
【００１５】
また、本発明の前記調節部は、他の実施例として、外表面と内表面の少なくとも一つに形成された複数の突起を含んで構成されることを特徴とする。
【００１６】
また、本発明の前記マスクは、ユーザーの口及び鼻の下部を覆う前面と、前記前面の上部に連結され、ユーザーの鼻の上部を覆い、形状が可変して鼻の上部に密着する可変形状部を備える上面と、前記前面の下部に連結され、ユーザーの顎を覆う下面とを含んで構成されることを特徴とする。
【００１７】
また、本発明の前記可変形状部は、軟質の金属材質からなる支持部材と、前記支持部材を包み込むように形成される被覆部材と、前記被覆部材を包み込むように形成される形状保持部と、前記形状保持部の表面にコーティングされるポリマーコーティング層とを含んで構成されることを特徴とする。
【発明の効果】
【００１８】
上述した本発明による長さ調節部付き機能性マスクは、マスクの表面の下部両側に調節部が備えられ、前記調節部にイヤーバンドの他側が水平方向に通過されて引き部が形成され、前記引き部によって長さ調節されたイヤーバンドがユーザーの耳に掛けられるとき、前記調節部によって前記イヤーバンドと引き部が１８０度折れて長さが調節されたイヤーバンドの状態が安定的に維持されることにより、前記マスクがユーザーの顔面部にぴったり密着し、結果的に前記マスクがユーザーの顔面部に安定的に密着した状態を維持して外気中の有害物質がスムーズにフィルタリングされる効果を得ることができる。
【００１９】
また、本発明は、前記調節部とイヤーバンド或いは引き部との摩擦力を増大させるか、或いは強固に前記調節部にイヤーバンド或いは引き部が掛けられるようにして、前記イヤーバンドの調節された長さがより一層安定且つ強固に維持されることにより、マスクによって外気中の有害物質がより一層スムーズにフィルタリングされる効果を得ることができる。
【図面の簡単な説明】
【００２０】
【図１】図１は、本発明の好適な実施形態によるマスクの着用状態を示す斜視図である。
【図２】図２は、本発明の好適な実施形態によるマスクを示す斜視図である。
【図３】図３は、本発明の好適な実施形態によるマスクを示す正面図である。
【図４】図４は、本発明の好適な実施形態によるマスクを示す背面図である。
【図５】図５は、本発明の好適な実施形態によるイヤーバンドが調節部を通過する様子を示す部分拡大図である。
【図６】図６は、本発明の好適な実施形態による調節部とイヤーバンドを示す側断面図である。
【図７】図７は、本発明の好適な実施形態による可変形状部を示す側断面図である。
【図８】図８は、本発明の好適な実施形態による係止段を示す部分拡大図である。
【図９】図９は、本発明の好適な実施形態による係止段が調節部に係止される様子を示す部分正面図である。
【図１０】図１０は、本発明の好適な実施形態による調節部に第１、第２突起が形成された様子を示す側断面図である。
【図１１】図１１は、本発明の好適な実施形態による調節部の第１、第２突起の方向性を示す断面図である。
【図１２】図１２は、本発明の好適な実施形態による補助調節部を示す側断面図である。
【図１３】図１３は、本発明の好適な実施形態によるイヤーバンドが調節部と補助調節部を通過する様子を示す部分拡大図である。
【発明を実施するための形態】
【００２１】
本発明は、機能性マスク１０に関するもので、より詳細には、マスク１０の両側に備えられ、ユーザーの耳に掛けられるイヤーバンド２０と、前記マスク１０の表面の下部両側に備えられる調節部３０とによって形成される通過ホール３２に前記イヤーバンド２０の他側を通過させることにより形成される引き部２２を用いて、前記イヤーバンド２０の長さ調節を容易にするだけでなく、前記通過ホール３２が水平方向に形成されるように調節部３０がマスク１０の表面の下部両側に備えられ、前記イヤーバンド２０と引き部２２が１８０度折れることにより、イヤーバンド２０の調節された長さが安定的に維持されるようにして、結果的に前記マスク１０がユーザーの顔面部にぴったり密着した状態を安定的に維持することができるようにすることにより、外気中の微細粉塵や黄砂などの有害物質がユーザーの鼻と口に直接吸入されることを防止することができる長さ調節部付きマスクに関する技術である。
【００２２】
上述した本発明を達成するための構成は、ユーザーの口、鼻及び顎の付近に対応するように形成されるマスク１０と、ユーザーの耳に掛けることができるように前記マスク１０の両側に備えられ、一側が前記マスク１０の表面の上部に結合され、他側が前記マスク１０の表面の下部に結合されて備えられるイヤーバンド２０と、前記マスク１０の表面の下部両側にそれぞれ備えられ、通過ホール３２が水平方向に形成される調節部３０とを含んでなり、前記イヤーバンド２０は、他側が前記調節部３０の通過ホール３２を通過するが、前記マスク１０の中心からマスク１０の外側に前記通過ホール３２を通過した後、前記マスク１０の表面の下部に結合されてマスク１０の外側に形成される引き部２２とを含んで構成されることを特徴とする。
【００２３】
また、本発明の前記イヤーバンド２０は、前記調節部３０によって前記マスク１０の外側方向に１８０度折れることにより調節された引き部２２の長さ可変が防止されることを特徴とし、前記イヤーバンド１０の他側は、熱圧着されて形成された複数の係止段２４を含んで構成されることを特徴とする。
【００２４】
また、本発明の前記イヤーバンド２０の他側は、他の実施例として、前記イヤーバンド２０の一側よりも表面粗さが大きいことを特徴とする。
【００２５】
また、本発明の前記調節部３０は、外表面に所定の距離離隔して形成され、第１通過ホール３４ａが水平方向に形成され、前記第１通過ホール３４ａの下部に位置するように第２通過ホール３４ｂが形成される補助調節部３４を含んで形成されることを特徴とする。
【００２６】
また、本発明の前記調節部３０は、他の実施例として、外表面と内表面の少なくとも一つに形成された複数の第１突起３０ａを含んで構成されることを特徴とする。
【００２７】
また、本発明の前記マスク１０は、ユーザーの口及び鼻の下部を覆う前面１１と、前記前面１１の上部に連結され、ユーザーの鼻の上部を覆い、形状が可変して鼻の上部に密着する可変形状部４０を備える上面１２と、前記前面１１の下部に連結され、ユーザーの顎を覆う下面１３とを含んで構成されることを特徴とする。
【００２８】
また、本発明の前記可変形状部４０は、軟質の金属材質からなる支持部材４１と、前記支持部材４１を包み込むように形成される被覆部材４２と、前記被覆部材４２を包み込むように形成される形状保持部４３と、前記形状保持部４３の表面にコーティングされるポリマーコーティング層４４とを含んで構成されることを特徴とする。
【００２９】
以下、本発明の実施形態を示す図１乃至図１３を参照して、本発明を具体的に説明する。
【００３０】
本発明を達成するための主要構成要素であるマスク１０は、ユーザーの口、鼻筋（鼻）及び顎の付近に対応するように形成されるものであって、合成樹脂材質の布や不織布などの布部材と、粉塵または有害物質が吸着することができるフィルタなどとが結合された構造で形成され、ユーザーの顔面に密着することにより、口、鼻筋及び顎を覆って外気中の粉塵または有害物質がユーザーの口と鼻を介して呼吸器に直接吸入されることを防止することを特徴とする。
【００３１】
具体的には、本発明のマスク１０は、ユーザーの口と鼻の下部を覆う前面１１と、前記前面１１の上部に連結され、ユーザーの鼻の上部を覆い、ユーザーの鼻の曲率と鼻の両側に沿って形状が可変して鼻の上部に密着する可変形状部４０を備える上面１２と、前記前面１１の下部に連結され、屈曲した顎を覆う下面１３とを含むことにより、ユーザーの顔面部に対する前記マスク１０の密閉力を向上させることができる効果を実現させる。
【００３２】
前記前面１１は、一重または二重以上の不織布や布などからなる外皮、内皮、及びろ過紙などで構成され、口と鼻を覆うが、主にユーザーの口を覆い、前記外皮と内皮は、ポリプロピレン、ポリエチレン、ポリオレフィン、ポリエチレンテレフタレート、ナイロンなどの熱可塑性樹脂などの材質からなり得る。前記ろ過紙は、静電機能が含まれている超静電フィルタ、メルトブローフィルタ、ナノ繊維が適用されたナノフィルタなどからなり、外気中の粉塵、黄砂、微細粉塵などの有害物質を効果的に遮断することができる。
【００３３】
前記上面１２は、前記前面１１と同様に、一重または二重以上の不織布や布などからなる外皮、内皮、及びろ過紙などで構成され、前記前面１１と同様の材質からなり、前記前面１１と結合されていない縁部がユーザーの鼻筋と鼻の両側の頬に対応するように屈曲した形状に備えられ、ユーザーの鼻筋と鼻の両側の頬に容易に密着し、形状が可変してユーザーの鼻の上部に密着する可変形状部４０を含んで構成され、前記可変形状部４０の形状がユーザーの鼻筋の形状に合わせて可変するようにすることにより、より一層ユーザーの鼻筋、すなわち鼻部分に容易に密着するようにして、外気中の粉塵、黄砂、微細粉塵などの有害物質を効果的に遮断することができる。
【００３４】
また、前記可変形状部４０は、形状が可変する支持部材４１と、前記支持部材４１を包み込むように形成され、前記上面１２の内部に設置される形状保持部４３とを含んで構成され、前記支持部材４１は、軟質の金属材質、アルミニウム、鉄心、ワイヤーなどの材質からなり、ユーザーが容易に形状を可変することができ、前記形状保持部４３は、ポリ塩化ビニル、ポリエチレン、ポリプロピレンなどのように成形が容易で、耐久性が高く、柔軟で軽い合成樹脂材質であって、前記支持部材４１を包み込むように形成され、前記支持部材４１をユーザーが容易に鼻の屈曲した形状に対応するように形状を変形させ、マスク１０とユーザーの鼻及び鼻の両側の頬部分との密着力を高めることができるだけでなく、前記上面１２に前記支持部材４１が容易に設置されるようにする。
【００３５】
前記支持部材４１は、包み込むように形成される被覆部材４２を含んで構成され、前記被覆部材４２は、前記形状保持部４３と同様の合成樹脂材質からなり得るが、耐久性、耐摩耗性、耐老化性などの安定性に優れたポリウレタン材質からなり、前記支持部材４１がユーザーの鼻に密着するように変形すると、変形した形態を安定的な状態に保持することができるようにするという効果がある。
【００３６】
前記可変形状部４０は、表面、すなわち、前記形状保持部４３の表面にコーティングされるポリマーコーティング層４４をさらに含んで構成できるが、前記ポリマーコーティング層４４は、ゴム弾性に富み、耐久性、耐摩耗性、耐老化性が高いポリウレタンなどの材質からなり、前記可変形状部４０、すなわち、実際に形態が可変する支持部材４１をユーザーの鼻の形状に対応するように容易に調節することができるだけでなく、前記支持部材４１の調節された形状をより一層安定的に維持することができるようにするという効果がある。
【００３７】
上記に関連して、前記下面１３は、前記前面１１と同様に、一重または二重以上の不織布や布などからなる外皮、内皮、及びろ過紙などで構成され、前記前面１１と同様の材質からなり、前記前面１１と結合されていない縁部がユーザーの顎に密着して包まれるように曲線または屈曲形態で備えられ、ユーザーの顎に容易に密着することにより、前記マスク１０の下部に流入する外気中の有害物質を遮断する効果を得ることができる。
【００３８】
本発明を達成するための主要構成要素であるイヤーバンド２０は、ユーザーの耳に掛けることができるように前記マスク１０の両側に対称的に備えられるが、一側が前記マスク１０の前面１１の外表面上部に結合され、他側が前記マスク１０の前面１１の外表面下部に結合されて備えられるものであって、軽く、丈夫で柔軟な弾性の高い物性の合成樹脂材質からなり、ユーザーの耳に掛けられた後、弾性によって前記マスク１０をユーザーの顔面部に密着させるか、或いは前記マスク１０をユーザーの顔面部から除去するとき、弾性によってユーザーが容易にユーザーの耳から取り外されるようにすることを特徴とする。すなわち、本発明のイヤーバンド２０は、ユーザーの耳に対して掛けられたり取り外されたりするようにして、ユーザーが前記マスク１０を付けたり外したりし易くすることを特徴とする。
【００３９】
具体的には、本発明のイヤーバンド２０の一側は、前記マスク１０の表面、すなわち、前面１１の外表面（ユーザーの顔面部と接触しない面）の上部に付着または融着されて結合され、前記マスク１０の外側に延び、前記イヤーバンド２０の他側は、前記マスク１０の表面、すなわち、前面１１の外表面の下部に付着または融着されて結合されてユーザーの耳に掛けられることにより、マスク１０がユーザーの顔面部に密着するようにすることを特徴とする。
【００４０】
また、本発明のイヤーバンド２０の他側は、詳細に後述される本発明の調節部３０によって形成された通過ホール３２をマスク１０の中心からマスク１０の外側に通過して前記マスク１０の前面１１の外表面下部に結合されることにより、前記マスク１０の外側に突出する環状の引き部２２を形成する。この時、前記引き部２２は、イヤーバンド２０の他側に該当するが、調節部３０の通過ホール３２を通過した部分を明確に指し示すための構成であることは自明である。
【００４１】
付加説明すると、本発明のイヤーバンド２０は、前記引き部２２をユーザーがマスク１０の外側に引くと、長さが減少しながら前記マスク１０とユーザーの顔面部との密着力が一層向上するようにして、外気中の微細粉塵、黄砂などの有害物質がユーザーの呼吸器に直接流入することを効率よく防止する効果を実現させる。
【００４２】
本発明を達成するための主要構成要素である調節部３０は、前記マスク１０の表面の下部両側にそれぞれ備えられるが、通過ホール３２が水平方向に形成されるものであって、前記マスク１０と同様に軽く、丈夫で柔軟な強度を有する物性の合成樹脂材質からなり、前記通過ホール３２にイヤーバンド２０の他側が通過して環状の引き部２２が形成されるようにすることを特徴とする。
【００４３】
具体的には、本発明の調節部３０は、一側が表面の下部に付着または融着されて結合され、他側が前記マスク１０の表面の下部に付着または融着されて結合されるが、前記一側の下部に位置するように結合され、通過ホール３２が水平方向に形成されることを特徴とする。
【００４４】
付加説明すると、本発明の調節部３０は、前記マスク１０の表面、すなわち、前面１１の外表面、言い換えればユーザーの顔面部と接触しないマスク１０の前面１１の外表面下部両側にそれぞれ備えられ、前記マスク１０の表面、すなわち、前面１１の外表面下部に結合される前記イヤーバンド２０の他側が前記通過ホール３２をスムーズに通過するようにすることを特徴とする。
【００４５】
つまり、本発明の調節部３０は、マスク１０の内側面に形成され、イヤーバンド２０の他側が通過ホール３２を通過する場合、詳細に後述される引き部２２がスムーズに形成され難く、前記引き部２２によって前記イヤーバンド２０の長さ調節が困難になるおそれがあるので、マスク１０の表面に形成されることが好ましい。
【００４６】
前記通過ホール３２は、前記調節部３０によって水平方向に形成されることを特徴とするが、イヤーバンド２０の他側が、詳細に後述される引き部２２と前記調節部３０によって１８０度折れるように、言い換えれば、前記イヤーバンド２０がマスク１０の外側方向に１８０度折れるようにすることにより、前記イヤーバンド２０の調節された長さが安定的に維持されることにする効果を実現させる。
【００４７】
付加説明すると、前記通過ホール３２が垂直方向に形成される場合には、イヤーバンド２０が引き部２２と９０度折れるように、言い換えれば、前記イヤーバンド２０がマスク３０の外側方向に９０度折れるようになり、小さな衝撃にも前記イヤーバンド２０の長さが可変できる一方で、前記通過ホール３２が水平方向に形成される場合には、前記イヤーバンド２０の長さ可変が効率よく防止できる効果を実現させる。
【００４８】
本発明を達成するための主要構成要素である引き部２２は、前記イヤーバンド２０の他側が前記調節部３０の水平方向に形成された通過ホール３２を通過するが、前記マスク１０の中心からマスク１０の外側へ前記通過ホール３２を水平方向に通過した後、前記マスク１０の表面の下部に結合されてマスク１０の外側に形成されるものであって、前記イヤーバンド２０の長さが調節されるようにし、特にユーザーが前記マスク１０を付けた状態、すなわち、イヤーバンド２０が耳に掛けられた状態で片手によって容易に引くことができるため、前記イヤーバンド２０の長さを短くして、前記マスク１０がユーザーの顔面部に容易に密着するようにすることを特徴とする。
【００４９】
付加説明すると、本発明の引き部２２は、前記マスク１０の外側方向に突出する環状であり、前記引き部２２をユーザーがマスク１０の外側に引くと、前記引き部２２の長さが増えながら、本発明のイヤーバンド２０の長さが減少して、前記マスク１０とユーザーの顔面部との密着力が一層向上するようにして、外気中の黄砂、微細粉塵などの物質が前記マスク１０の内部に流入することを防止する効果を実現させる。
【００５０】
一方、本発明のイヤーバンド２０は、先立って調節部３０で説明したように、前記調節部３０によって前記マスク１０の外側方向に１８０度折れることにより調節された引き部２２の長さ可変が防止されることを特徴とするが、これは、言い換えれば、本発明のイヤーバンド２０が前記調節部３０によって前記引き部２２と１８０度折れることにより、前記イヤーバンド２０の長さ可変が防止されるのである。
【００５１】
より詳細に説明すると、本発明のイヤーバンド２０は、前記調節部３０によって水平方向に形成された通過ホール３２に他側が通過した後、マスク１０の表面下部に結合されることにより、ユーザーの耳に掛けられる場合には前記通過ホール３２を通過して形成された引き部２２と１８０度折れるようになり、これにより、前記イヤーバンド２０が調節部３０に接触する面積が広くなって前記調節部３０との摩擦力が増加することにより、前記イヤーバンド２０の長さ可変が従来に比べて効率よく防止される効果を実現させる。
【００５２】
つまり、本発明のイヤーバンド２０は、ユーザーによって前記引き部２２が引かれることにより長さが短くなるか、或いはユーザーによって他側が引かれて長さが長くなることにより、ユーザーの顔面部と耳との距離に応じて前記マスク１０がユーザーの顔面部にぴったり密着するようにする効果を実現させる。
【００５３】
言い換えれば、本発明の引き部２２は、ユーザーによって引かれるにつれて長さが長くなるか、或いはユーザーによってイヤーバンド２０が引かれるにつれて長さが短くなることにより、ユーザーの顔面部と耳との距離に応じて前記マスク１０がユーザーの顔面部にぴったり密着するようにする効果を実現させる。
【００５４】
一方、本発明のイヤーバンド２０は、調節部３０を通過して形成された引き部２２によって長さが調節された後、調節された長さを安定的に維持することができるように他側に形成される複数の係止段２４をさらに含んで構成できるが、前記係止段２４は、前記イヤーバンド２０を熱圧着して弾性がないようにするだけでなく、硬さ、すなわち強度が高くなるように形成されることにより、調節部３０の端部にかかってイヤーバンド２０の調節された長さが安定的に維持されるようにする効果を実現させる。
【００５５】
具体的には、前記イヤーバンド２０の他側は、熱圧着されて形成された複数の係止段２４を含んで構成され、前記係止段２４は、イヤーバンド２０の他側に形成されるが、調節部３０を通過した引き部２２の一側に形成され、ユーザーが引き部２２またはイヤーバンド２０を引いて前記イヤーバンド２０の長さが調節された後、ユーザーの耳に前記イヤーバンド２０が掛けられると、前記調節部３０の両端のいずれかに掛けられ、それ以上前記イヤーバンド２０の長さが伸びてマスク１０が緩く着用されることを防止する効果を実現させる。
【００５６】
この時、前記係止段２４が形成されるイヤーバンド２０の他側は、調節部３０を通過する引き部２２まで含まれるのは自明であり、前記係止段２４が形成されるイヤーバンド２０の他側の範囲は、ユーザーによって長さが調節できる範囲、すなわち、イヤーバンド２０の長さの約２０〜３０％の範囲であることが好ましく、具体的には、前記係止段２４は、イヤーバンド２０の他側と引き部２２の一側に形成されることが好ましい。
【００５７】
言い換えれば、前記イヤーバンド２０は、ユーザーが他側または引き部２２を引いて、ユーザーの耳と顔面部との距離を考慮して長さが調節され、長さが調節された後、弾性によって伸びてユーザーの耳に掛けられ、引き部２２が形成された他側が再び調節部３０を通過して長さが長くなるという問題点が発生するおそれがあるが、前述したように、前記調節部３０によって前記引き部２２と折れる角度が１８０度となることにより、１次的に長さが可変することが防止される。
【００５８】
しかし、前記イヤーバンド２０は、ユーザーが話をしたり動いたりするなどによってマスク１０がユーザーの顔面部の前方に強い圧力を受けて引き部２２が調節部３０を通過し、それにより長さがさらに長くなるという問題点が発生するが、図９に示すように、イヤーバンド２０がユーザーによって引かれると、前記係止段２４が調節部３０の両端のいずれかに係止されることにより、２次的に長さが可変することが防止され、結果的に強い圧力が発生しても強度の高い前記係止段２４が調節部３０の端部のいずれかに強く係止されて長さが可変することを効率よく防止する。
【００５９】
これに加えて、前記イヤーバンド２０の他側は、前記イヤーバンド２０の一側と前記引き部２２の他側よりも表面粗さが大きいことを特徴とするが、これは、調節部３０との摩擦力を増大させて、前記イヤーバンド２０の調節された長さが強固に固定されるようにする効果を実現させる。この時、前記イヤーバンド２０の他側は、前述したイヤーバンド２０の長さの約２０〜３０％の範囲に該当し、上記の範囲が調節部３０を通過すると、言い換えれば、イヤーバンド２０の他側と引き部２２の一側に該当する。
【００６０】
さらに、前記イヤーバンド２０の他側と前記引き部２２の一側との摩擦力を高める方法は、前記イヤーバンド２０の他側と前記引き部２２の一側の外周縁に、従来使用される硬質の合成樹脂突起が複数形成された雄ベルクロ（登録商標）などの構成を付着または融着させる方法を使用してもよく、前記イヤーバンド２０の他側と前記引き部２２の一側の外周縁の繊維が切れて突出するようにサンドペーパーなどを用いて擦る方法を使用してもよい。
【００６１】
すなわち、前記イヤーバンド２０と引き部２２は、強度が高くなるように熱融着されて形成される複数の係止段２４または表面粗さを大きくする方法の少なくとも一つを採用することにより、マスク１０がユーザーの顔面部に着用された後に発生する圧力や衝撃などにも、安定的に調節された長さが維持されるようにして、着用状態が強固に維持されるようにし、これによりユーザーの呼吸器を介して外気中の有害物質が直接吸入されることを防止することができる効果を実現させる。
【００６２】
上記に関連して、本発明の調節部３０は、外表面に形成された複数の第１突起３０ａをさらに含んで構成できるが、前記複数の第１突起３０ａは、ユーザーの耳に掛けられて引き部２２と１８０度折れたイヤーバンド２０の外周縁との摩擦力を増大させ、前記イヤーバンド２０の長さ可変をさらに強固に防止されるようにする効果を実現させる。
【００６３】
また、本発明の調節部３０は、内表面に形成された複数の第２突起３０ｂをさらに含んで構成できるが、前記複数の第２突起３０ｂは、外表面に形成された複数の第１突起３０ａとともに、通過ホール３２を通過するイヤーバンド２０の他側または引き部２２の一側の外周縁との摩擦力を増大させ、前記イヤーバンド２０の長さ可変を防止する効果を実現させる。
【００６４】
この時、前記調節部３０の外表面と内表面にそれぞれ形成される複数の第１突起３０ａと複数の第２突起３０ｂは、前記調節部３０を熱圧着して突出するようにするが、外表面に形成された第１突起３０ａと内表面に形成された第２突起３０ｂとが重畳しないように形成されるのは自明であり、前述したイヤーバンド２０の他側と引き部２２の一側のように雄ベルクロなどが付着または融着されて形成できる。
【００６５】
これに加えて、前記調節部３０の外表面と内表面にそれぞれ形成される第１、第２突起３０ａ、３０ｂは、図１１に示すように、末端が一方の方向に偏って突出するように形成されることが好ましいが、これは、前記イヤーバンド２０がユーザーの耳に掛けられた後、前記イヤーバンド２０の長さが長くなる方向に引かれることをより効率よく防止することができる効果を実現させ、前記一方の方向は、前記イヤーバンド２０の長さが長くなる方向に前記イヤーバンド２０が移動する方向の反対方向に偏って突出する方向を意味する。
【００６６】
すなわち、前記調節部３０の外表面と内表面にそれぞれ形成される第１、第２突起３０ａ、３０ｂは、前記イヤーバンド２０の長さが長くなる方向に前記イヤーバンド２０が移動する方向の反対方向に末端が偏って突出するように形成されることを特徴とする。
【００６７】
上記に関連して、本発明の調節部３０は、外表面に所定の距離離隔して形成され、第１通過ホール３４ａが水平方向に形成され、前記第１通過ホール３４ａの下部に位置するように第２通過ホール３４ｂが形成される補助調節部３４を含んで構成されることを特徴とするが、前記補助調節部３４は、イヤーバンド２０がさらに２回折れた後、マスク１０の表面に結合されるようにすることにより、調節された長さが可変することをより一層安定的に防止する効果を実現させる。
【００６８】
すなわち、前記補助調節部３４は、調節部３０と同様に、第１、第２通過ホール３４ａ、３４ｂが水平方向に形成され、ユーザーが容易にイヤーバンド２０を引いて長さを調節することができるようにするだけでなく、調節部３０と共に、イヤーバンド２０が折れる回数を増加させ、ユーザーの耳にイヤーバンド２０が掛けられて弾性により引かれる場合、左右方向のいずれか一方向以上に圧力、すなわち張力（引き力）が発生しても、前記第１、第２通過ホール３４ａ、３４ｂと通過ホール３２を通過したイヤーバンド２０の他側が強固に固定されるようにすることにより、イヤーバンド２０の長さが可変することをより一層安定的に防止する効果を実現させる。
【００６９】
より詳細に説明すると、本発明のイヤーバンド２０の他側は、マスク１０の内側方向、すなわち中心方向から前記マスク１０の外側方向に移動して前記補助調節部３４の第１通過ホール３４ａを通過し、再び前記マスク１０の外側方向から前記マスク１０の内側方向、すなわち中心方向に移動して前記補助調節部３４の第２通過ホール３４ｂを通過した後、さらに前記マスク１０の内側方向、すなわち中心方向から前記マスク１０の外側方向に移動して前記調節部３０の通過ホール３２を通過した後、前記マスク１０の表面下部に結合されることにより、複数の引き部２２が形成される。
【００７０】
言い換えれば、本発明のイヤーバンド２０は、他側が前記補助調節部３４の第１通過ホール３４ａを通過した後、第２通過ホール３４ｂに引き込まれて一番目の引き部２２を形成し、第２通過ホール３４ｂを通過した後、前記調節部３０の通過ホール３２を引き込んで二番目の引き部２２を形成し、前記調節部３０の通過ホール３２を通過した後、マスク１０の表面下部に結合されて三番目の引き部２２を形成することにより、ユーザーは、３つの引き部２２を用いてイヤーバンド２０の長さを調節し、これにより前記３つの引き部２２のうち、一番目と二番目の引き部２２が第１、第２通過ホール３４ａ、３４ｂの間、及び第２通過ホール３４ｂと通過ホール３２の間にそれぞれ強固に折れてイヤーバンド２０の長さが可変することを効率よく防止する効果を実現させる。
【００７１】
この時、前記補助調節部３４は、先立って説明した調節部３０と同様に、外表面と内表面の少なくとも一つに突設される突起３０ａ、３０ｂをさらに含んで構成でき、これにより、イヤーバンド２０と補助調節部３４との摩擦力を増大させ、さらに前記イヤーバンド２０の長さ可変を効率よく防止することができる効果を実現させる。
【００７２】
つまり、本発明のマスク１０は、ユーザーが耳と顔面部との距離を考慮してイヤーバンド２０の長さを調節した後で着用したとき、話をしたり動きなどが発生したりしても、前述したように調節部３０との摩擦力を増大させるだけでなく、折れが複数発生するようにすることにより、マスク１０がユーザーの顔面にぴったり密着するようにして、外気中の有害物質が呼吸器を介して直接流入することを防止する効果を実現させる。
【００７３】
これに加えて、前記補助調節部３４が形成された本発明のイヤーバンド２０の長さを調節する方法を具体的に説明すると、ユーザーは、まず、イヤーバンド２０を耳に掛けてマスク１０が顔面部に密着する程度を見計らい、前記マスク１０が顔面部に密着する程度が緩い場合、一番目の引き部２２を引いてイヤーバンド２０の長さを短く調節した後、二番目の引き部２２を引いて一番目の引き部２２の長さを短く調節した後、さらに三番目の引き部２２を引いて二番目の引き部２２の長さを短く調節して、長さが短く調節された前記イヤーバンド２０をさらに耳に掛けてマスク１０が顔面部にぴったり密着するようにする。この時、マスク１０が顔面部に過度に密着する場合、前述した長さを調節する方法を逆に行ってイヤーバンド２０の長さを長くすることは自明であろう。
【００７４】
以上、本発明の好適な実施形態を参照して説明したが、これらの実施形態に限定されず、これらの実施形態から、本発明の属する技術分野における通常の知識を有する者が本発明の要旨を逸脱することなく様々に変更実施することができる。
【符号の説明】
【００７５】
１０      マスク
１１      前面
１２      上面
１３      下面
２０      イヤーバンド
２２      引き部
２４      係止段
３０      調節部
３０ａ    第１突起
３０ｂ    第２突起
３２      通過ホール
３４      補助調節部
３４ａ    第１通過ホール
３４ｂ    第２通過ホール
４０      可変形状部
４１      支持部材
４２      被覆部材
４３      形状保持部
４４      ポリマーコーティング層
【図１】
2020193426.tif 000003
【図２】
2020193426.tif 000004
【図３】
2020193426.tif 000005
【図４】
2020193426.tif 000006
【図５】
2020193426.tif 000007
【図６】
2020193426.tif 000008
【図７】
2020193426.tif 000009
【図８】
2020193426.tif 000010
【図９】
2020193426.tif 000011
【図１０】
2020193426.tif 000012
【図１１】
2020193426.tif 000013
【図１２】
2020193426.tif 000014
【図１３】
2020193426.tif 000015